(57)【特許請求の範囲】
【請求項１】
搬送方向に連続する連続用紙を送り出す前段ローラー搬送手段と、前段ローラー搬送手段よりも速い周速で回転する後段ローラー搬送手段と、前段ローラー搬送手段と後段ローラー搬送手段の間に位置して連続用紙を搬送方向の所定箇所で切断するバースト手段と、バースト手段の後段に位置して用紙を検出するセンサー手段と、前段ローラー搬送手段を経て後段ローラー搬送手段に送り出す連続用紙の送り量を検出するエンコーダと、エンコーダから出力するパルス数を計数するエンコーダパルス計数手段とを備え、
バースト手段において切断後の先行する用紙の搬送方向後端縁をセンサー手段により検知して後に、センサー手段が後続する連続用紙の搬送方向前端縁を検知するまでの間にエンコーダから出力するパルス数をエンコーダパルス計数手段により計数し、
後続する連続用紙の搬送速度は、運転開始時に所定速度とし、この所定速度においてエンコーダパルス計数手段によって計数するパルス数の計数値が所定値より減少するとき、または前記所定値より小さい所定下限値となるときに、前記所定速度より低下させて前記計数値が前記所定値となるように制御することを特徴とする連続用紙処理装置。
【請求項２】
後続する連続用紙の搬送速度は、運転開始後に漸次に上昇させ、エンコーダパルス計数手段によって計数するパルス数の計数値が所定値より減少するとき、または前記所定値より小さい所定下限値となるときに、前記所定速度より低下させて前記計数値が前記所定値となるように制御することを特徴とする請求項１に記載の連続用紙処理装置。
【請求項３】
前段ローラー搬送手段により送り出す連続用紙を、前段ローラー搬送手段よりも速い周速で回転する後段ローラー搬送手段との間で引っ張り合い、前段ローラー搬送手段と後段ローラー搬送手段の間に位置するバースト手段で連続用紙を搬送方向の所定箇所で切断する連続用紙処理装置において、
切断後の先行する用紙の搬送方向後端縁をセンサー手段により検知して後に、センサー手段が後続する連続用紙の搬送方向前端縁を検知するまでの間に、連続用紙の送り出し量を測定するエンコーダから出力するパルス数をエンコーダパルス計数手段により計数し、後続する連続用紙の搬送速度は、運転開始時に所定速度とし、この所定速度においてエンコーダパルス計数手段によって計数するパルス数の計数値が所定値より減少するとき、または前記所定値より小さい所定下限値となるときに、前記所定速度より低下させて前記計数値が前記所定値となるように制御することを特徴とする連続用紙処理装置の運転制御方法。
【発明の詳細な説明】
【技術分野】
【０００１】
本発明は連続用紙処理装置および運転制御方法に関し、連続用紙を順次に移送しながらその所定切断箇所を連続的に切断する技術に係るものである。
【背景技術】
【０００２】
従来、この種の連続用紙処理装置としては、例えば図４に示すものがある。図４において、装置の前部側に配置したブラシ１は連続用紙２をガイド板３に沿わせるものであり、ピントラクター４は連続用紙２を所定の搬送方向に移動させる搬送手段をなし、エンコーダ５によって用紙の送り量を計測する。
【０００３】
スリッタ６はディスク状のスリッタ上刃７とスリッタ下刃８を備えており、連続用紙２を搬送方向と直交する用紙幅方向の所定箇所において搬送方向に沿ってマージン部を切り落とすものであり、連続用紙２の幅方向の両側に配置されており、マージン部の幅に応じて連続用紙２の幅方向に移動させる。
【０００４】
バースター９は連続用紙２に予め形成されたミシン目において連続用紙２を単位用紙に切断するものであり、連続用紙２の移送方向に沿って、前ゴムローラー部１０とバーストロール部１１とセンサー部１２と後ゴムローラー部１３を順次に配置している。
【０００５】
前ゴムローラー部１０では上下に移動可能に配置する上前ゴムローラー１０ａが自重で下前ゴムローラー１０ｂに接しており、上前ゴムローラー１０ａおよび下前ゴムローラー１０ｂがピントラクター４と同一の周速で回転する。後ゴムローラー部１３では上下に移動可能に配置する上後ゴムローラー１３ａが下後ゴムローラー１３ｂとの間に微小間隙を設けて配置されており、上後ゴムローラー１３ａおよび下後ゴムローラー１３ｂが前ゴムローラー部１０よりも速い周速で回転する。
【０００６】
ピントラクター４および前ゴムローラー部１０により送り出される連続用紙２は、バーストロール部１１の上ロール１１ａおよび下ロール１１ｂの間を通り、センサー部１２の発光センサー１２ａと受光センサー１２ｂの間を通過し、後ゴムローラー部１３の上後ゴムローラー１３ａと下後ゴムローラー１３ｂの間に達する。
【０００７】
この際に、連続用紙２の先端が発光センサー１２ａと受光センサー１２ｂの間を通過して光軸を遮断することにより連続用紙２の先端位置をセンサー部１２で検知し、このタイミングでエンコーダ５によって用紙の送り量を計測し始める。
【０００８】
エンコーダ５で計測する用紙の送り量が単位用紙の天地寸法に合わせて予め設定した所定送り量に達すると、連続用紙２のミシン目がバーストロール部１１に対応する。このとき、前ゴムローラー部１０では、上前ゴムローラー１０ａが連続用紙２を介して下前ゴムローラー１０ｂに押圧され、後ゴムローラー部１３では上後ゴムローラー１３ａが連続用紙２を介して下後ゴムローラー１３ｂに押圧される。
【０００９】
そして、後ゴムローラー部１３が前ゴムローラー部１０よりも速い周速で回転することにより、両者の相対速度差の結果として前ゴムローラー部１０と後ゴムローラー部１３との間で連続用紙２を引っ張り合うことになり、バーストロール部１１が連続用紙２のミシン目に当接することでミシン目において連続用紙２が切断（バースト）される。
【００１０】
この切断と同時に前ゴムローラー部１０および後ゴムローラー部１３は復動して初期状態に戻り、切断された単位用紙が排紙ローラー部１４によってコンベア（または落下式の紙受け板）１５に排出され、後続の連続用紙２が前ゴムローラー部１０によって移送されて、上述の動作が繰り返される。
【００１１】
このような連続用紙処理装置に係る先行技術文献としては特許文献１がある。これは用紙の切断サイズ、マージナルスリット位置等の用紙処理条件を自動的に登録可能とし、手動操作や事前のバーコード化に伴う煩雑さを解消するものである。
【００１２】
このため特許文献１では、処理対象となる用紙の処理条件、例えば切断サイズやマージナルスリット位置等の各種条件、に適合するよう用紙処理装置の切断ローラ部やトラクタ部等の各部を移動調整し、この調整後の用紙処理装置の状態を、前記各部の調整時の変位量を直接的もしくは間接的に、例えば各部の駆動源であるモータの回転量をポテンショメータで検出する等して検出し、この検出量を設定データとして制御部のメモリに登録している。
【００１３】
そして、この設定データに対応するコード番号等を登録時に設定しておき、このコード番号等を入力することで、登録された設定データに対応してモータ等が駆動され、特定された設定位置に各部が移動調整される。
【００１４】
また、他の先行技術文献としては特許文献２がある。これは、回転運動する排出フィンにより、用紙切断処理領域から排出される用紙の後端部を叩き落とすものであり、排出フィンの回転位置を検知する光学原点センサと、用紙送り速度を監視するエンコーダおよびエンコーダセンサと、用紙送り経路中の用紙の位置を検知する第２用紙センサとを備え、用紙が第２用紙センサの位置に達したときに、その時点の用紙送り速度に対して排出フィンがその時点であるべき位置から進んでいる、または遅れている量を算出し、その進み量または遅れ量を補正すべく排出フィンの回転速度を可変調整すべくＣＰＵで制御するものである。
【特許文献１】特開平６−２７８０９０号公報
【特許文献２】特開平１１−１９３１７３号公報
【発明の開示】
【発明が解決しようとする課題】
【００１５】
上述した従来の技術において、バースター９のバーストロール部１１で連続用紙２をミシン目において切断するために必要な処理速度（搬送速度）は、連続用紙２の紙質や、重なり枚数（複写様式）の違いによって異なっている。
【００１６】
連続用紙をバースト処理する場合、バースター９の後ゴムローラー部１３は前ゴムローラー部１０よりも速い周速で回転しているので、バースト時に連続用紙２に対してスリップが生じることがある。連続用紙２の搬送速度が低速であるほどに後ゴムローラー部１３におけるスリップの発生が抑制されるとともに、連続用紙２のミシン目とバーストロール部１１との位置ずれが生じ難くなる。逆に、連続用紙２の搬送速度が高速であるほどにバースター９の後ゴムローラー部１３においてスリップが発生し易くなるとともに、連続用紙２のミシン目とバーストロール部１１との位置ずれが生じ易くなる。
【００１７】
この連続用紙２のミシン目とバーストロール部１１との位置がずれるほどにバーストミスの発生が起こり易い状態となる。
このため、処理速度（搬送速度）が不適切な状態でバースト処理を行うと、後ゴムローラー部１３でスリップ、およびバーストロール部１１と連続用紙２のミシン目との位置ずれによって、切断のタイミングが遅れたり、連続用紙２を切断（バースト）する力（衝撃力）が不足して切断が不完全となったりして処理ミス（バーストミス）が生じ、ジャム状態となってしまう問題があった。
【００１８】
また、適切な処理速度を設定登録可能な連続用紙処理装置において対象となる連続用紙の適正速度で処理する運転を行っても、その時々の湿度の相違に起因する紙質の変化、又はミシン目の品質の変化、あるいは長期の使用中にローラに付着した用紙の印刷インク等の要因によってローラが滑り易くなり、バーストミスが発生する場合があった。
【００１９】
本発明は上記した課題を解決するものであり、機械装置部品における磨耗、汚れ等の経時的な変化や、温度、湿度等の環境から受ける影響により処理対象の連続用紙に起きる変化によって、バースト処理に必要な処理速度が変化してもバーストミスを生じないように処理速度を自動的に適正処理速度にコントロールすることができる連続用紙処理装置および運転制御方法を提供することを目的とする。
【課題を解決するための手段】
【００２０】
上記課題を解決するために、本発明の連続用紙処理装置は、搬送方向に連続する連続用紙を送り出す前段ローラー搬送手段と、前段ローラー搬送手段よりも速い周速で回転する後段ローラー搬送手段と、前段ローラー搬送手段と後段ローラー搬送手段の間に位置して連続用紙を搬送方向の所定箇所で切断するバースト手段と、バースト手段の後段に位置して用紙を検出するセンサー手段と、前段ローラー搬送手段を経て後段ローラー搬送手段に送り出す連続用紙の送り量を検出するエンコーダと、エンコーダから出力するパルス数を計数するエンコーダパルス計数手段とを備え、バースト手段において切断後の先行する用紙の搬送方向後端縁をセンサー手段により検知して後に、センサー手段が後続する連続用紙の搬送方向前端縁を検知するまでの間にエンコーダから出力するパルス数をエンコーダパルス計数手段により計数し、
後続する連続用紙の搬送速度は、運転開始時に所定速度とし、この所定速度においてエンコーダパルス計数手段によって計数するパルス数の計数値が所定値より減少するとき、または前記所定値より小さい所定下限値となるときに、前記所定速度より低下させて前記計数値が前記所定値となるように制御することを特徴とする。
【００２２】
また、後続する連続用紙の搬送速度は、運転開始後に漸次に上昇させ、エンコーダパルス計数手段によって計数するパルス数の計数値が所定値より減少するとき、または前記所定値より小さい所定下限値となるときに、前記所定速度より低下させて前記計数値が前記所定値となるように制御することを特徴とする。
【００２３】
本発明の連続用紙処理装置の運転制御方法は、前段ローラー搬送手段により送り出す連続用紙を、前段ローラー搬送手段よりも速い周速で回転する後段ローラー搬送手段との間で引っ張り合い、前段ローラー搬送手段と後段ローラー搬送手段の間に位置するバースト手段で連続用紙を搬送方向の所定箇所で切断する連続用紙処理装置において、切断後の先行する用紙の搬送方向後端縁をセンサー手段により検知して後に、センサー手段が後続する連続用紙の搬送方向前端縁を検知するまでの間に、連続用紙の送り出し量を測定するエンコーダから出力するパルス数をエンコーダパルス計数手段により計数し、後続する連続用紙の搬送速度は、運転開始時に所定速度とし、この所定速度においてエンコーダパルス計数手段によって計数するパルス数の計数値が所定値より減少するとき、または前記所定値より小さい所定下限値となるときに、前記所定速度より低下させて前記計数値が前記所定値となるように制御することを特徴とする。
【発明の効果】
【００２４】
以上のように本発明によれば、周速の異なる前段ローラー搬送手段と後段ローラー搬送手段との間で連続用紙を引っ張り合ってバースト手段が連続用紙の搬送方向の所定箇所に当接して連続用紙をミシン目等において切断する。
【００２５】
バースト手段による連続用紙の切断後に、先行する用紙の搬送方向後端縁がセンサー手段に達するまでに移動する距離、および後続する連続用紙の搬送方向前端縁がセンサー手段に達するまでに移動する距離、ならびにこの間に用紙の送り量を検出するエンコーダから出力するパルス数は、搬送速度の如何にかかわらず常に一定である。
【００２６】
このため、前段ローラー搬送手段または後段ローラー搬送において連続用紙に対するスリップが発生しない状態では、センサー手段が先行する用紙の搬送方向後端縁を検知して後に後続する連続用紙の搬送方向前端縁を検知するまでの間において、エンコーダパルス計数手段が計数するパルス数は搬送速度の如何にかかわらず一定である。
【００２７】
しかし、機械装置部品における磨耗、汚れ等の経時的な変化や、温度、湿度等の環境から受ける影響により処理対象の連続用紙に起きる変化によって、切断処理に必要な連続用紙の適切な搬送速度が変化すると、前段ローラー搬送手段または後段ローラー搬送において連続用紙に対するスリップ等が発生して、バースト手段における切断のタイミングが遅れたり、あるいは不完全な切断状態となる場合がある。
【００２８】
このとき、切断後に先行する用紙の搬送方向後端縁と後続する連続用紙の搬送方向前端縁との間の距離が通常時よりも短くなって、センサー手段が先行する用紙の搬送方向後端縁を検出してから後続する連続用紙の搬送方向前端縁を検知するまでの時間が通常時よりも短くなるとともに、この間にエンコーダから出力するパルス数が通常時よりも少なくなる。
【００２９】
したがって、エンコーダパルス計数手段により計数するパルス数の計数値は切断状態を示す指標となり、このパルス数の計数値を指標として連続用紙の搬送速度を制御することにより、切断処理ミスを生じないように搬送速度を適正な搬送速度（処理速度）にコントロールすることができる。
【発明を実施するための最良の形態】
【００３０】
以下、本発明の実施の形態を図面に基づいて説明する。本発明の連続用紙処理装置は、その基本的な構造は先に図４示したものと同様であり、ここでは図４を参照して本実施の形態における連続用紙処理装置の基本構成を改め説明するが、他の構成要件は同符号を用いることで詳細な説明を省略する。
【００３１】
図４において、ピントラクター４は連続用紙２を所定の搬送方向に搬送するものであり、エンコーダ５によって用紙の送り量を計測する。
バースター９は連続用紙２に予め形成されたミシン目において連続用紙２を単位用紙に切断するものであり、連続用紙２の搬送方向に沿って、前段ローラー搬送手段をなす前ゴムローラー部１０と、バースト手段をなすバーストロール部１１と、センサー手段をなすセンサー部１２と、後段ローラー搬送手段をなす後ゴムローラー部１３を順次に配置している。
【００３２】
前ゴムローラー部１０は連続用紙２を搬送方向に送り出すものであり、上下に移動可能に配置する上前ゴムローラー１０ａが自重で下前ゴムローラー１０ｂに接しており、上前ゴムローラー１０ａおよび下前ゴムローラー１０ｂがピントラクター４と同一の周速で回転する。また、前ゴムローラー部１０は上前ゴムローラー１０ａを下前ゴムローラー１０ｂに押圧する手段としてカム機構等を備えている。
【００３３】
後ゴムローラー部１３は前ゴムローラー部１０よりも速い周速で回転するものであり、上下に移動可能に配置する上後ゴムローラー１３ａが下後ゴムローラー１３ｂとの間に微小間隙を設けて配置されている。また、後ゴムローラー部１３は上後ゴムローラー１３ａを下後ゴムローラー１３ｂに押圧する手段としてカム機構等を備えている。
【００３４】
バースター９は前ゴムローラー部１０と後ゴムローラー部１３をタイミングベルト等によって同期して駆動する。
センサー部１２は発光センサー１２ａと受光センサー１２ｂを有し、双方の間を通過する用紙を検出する。
【００３５】
図１に示すように、連続用紙処理装置は、制御装置としてのＣＰＵ１５を備えており、ＣＰＵ１５は、ピントラクター４、スリッタ６、バースター９、排紙ローラー部１４を、センサー部１２およびエンコーダ５からの入力信号に基づいて制御する。
【００３６】
エンコーダ５はピントラクター４の回転を検出するものに限らず、連続用紙処理装置の駆動源をなすメインモータ（図示省略）の回転を検出するものでも良く、バースター９の前ゴムローラー部１０の回転を検出ものでも良い。ＣＰＵ１５はエンコーダ５から出力するパルス数を計測するエンコーダパルス計数手段をプログラムによって搭載しており、計測したパルス数に基づいて連続用紙２の送り量を算出する。
【００３７】
上記した構成において、処理対象の連続用紙２はピントラクター４および前ゴムローラー部１０によって搬送され、搬送方向に送り出される連続用紙２は、バーストロール部１１の上ロール１１ａおよび下ロール１１ｂの間を通り、センサー部１２の発光センサー１２ａと受光センサー１２ｂの間を通過し、後ゴムローラー部１３の上後ゴムローラー１３ａと下後ゴムローラー１３ｂの間に達する。
【００３８】
この際に、連続用紙２の搬送方向前端縁が発光センサー１２ａと受光センサー１２ｂの間を通過して光軸を遮断すると、センサー部１２が連続用紙２の先端位置を検知する。このタイミングでＣＰＵ１５は、ピントラクター４および前ゴムローラー部１０によって搬送する連続用紙２の送り量をエンコーダ５によって計測し始める。
【００３９】
このエンコーダ５により前ゴムローラー部１０を経て後ゴムローラー部１３に送り出す連続用紙２の送り量を計測し、エンコーダ５で計測する連続用紙２の送り量が単位用紙の天地寸法に合わせて予め設定した所定送り量に達すると、連続用紙２のミシン目がバーストロール部１１に対応する。
【００４０】
このとき、前ゴムローラー部１０では、上前ゴムローラー１０ａが連続用紙２を介して下前ゴムローラー１０ｂに押圧され、後ゴムローラー部１３では上後ゴムローラー１３ａが連続用紙２を介して下後ゴムローラー１３ｂに押圧される。
【００４１】
そして、後ゴムローラー部１３が前ゴムローラー部１０よりも速い周速で回転することにより、両者の相対速度差の結果として前ゴムローラー部１０と後ゴムローラー部１３との間で連続用紙２を引っ張り合い、バーストロール部１１が連続用紙２のミシン目に当接することでミシン目において連続用紙２が切断（バースト）される。
【００４２】
この切断と同時に前ゴムローラー部１０および後ゴムローラー部１３は復動して初期状態に戻り、切断された単位用紙が排紙ローラー部１４によって排出され、後続の連続用紙２が前ゴムローラー部１０によって移送されて、上述の動作が繰り返される。
【００４３】
この動作において、ＣＰＵ１５はバーストロール部１１での切断後において、排紙ローラー部１４により搬送されて先行する用紙の搬送方向後端縁がセンサー部１２を通過し、発光センサー１２ａの光を受光センサー１２ｂが受光することで用紙の搬送方向後端縁の位置を検知する。この後にセンサー部１２は連続用紙２の搬送方向前端縁が発光センサー１２ａと受光センサー１２ｂの間を通過して光軸を遮断することで連続用紙２の搬送方向前端縁の位置を検知する。この間にＣＰＵ１５は、エンコーダ５から出力するパルス数をエンコーダパルス計数手段により計数する。
【００４４】
図２に示すように、所定の搬送速度で連続用紙２を搬送し、バースター９の前ゴムローラー部１０または後ゴムローラー部１３において連続用紙２に対するスリップが発生しないバースト正常状態では、バースト後用紙間隔波形として示すセンサー部１２の出力において、センサー部１２が先行する用紙の搬送方向後端縁を検知して後に後続する連続用紙２の搬送方向前端縁を検知するまでの間のインターバルＴａで示す距離は一定であり、このインターバルＴａにおいてＣＰＵ１５のエンコーダパルス計数手段が計数するパルス数は一定である。
【００４５】
ところで、バーストロール部１１での連続用紙２の切断後に、先行する用紙の搬送方向後端縁がセンサー部１２に達するまでに移動する距離、および後続する連続用紙２の搬送方向前端縁がセンサー部１２に達するまでに移動する距離は一定であり、当然のことに、この間にピントラクター４および前ゴムローラー部１０によって搬送する連続用紙２の送り出し量および連続用紙２の送り量を検出するエンコーダ５から出力するパルス数は、搬送速度の如何にかかわらず常に一定である。したがって、インターバルＴａにおいて計測するパルス数は、搬送速度の如何にかかわらず常に一定である。
【００４６】
しかし、機械装置部品における磨耗、汚れ等の経時的な変化や、温度、湿度等の環境から受ける影響により処理対象の連続用紙２に起きる変化によって、切断処理に必要な連続用紙２の適切な搬送速度が変化すると、所定の搬送速度で連続用紙２を搬送しても、バースター９の前ゴムローラー部１０または後ゴムローラー部１３において連続用紙２に対するスリップ等が発生して、バーストロール部１１における切断のタイミングが遅れたり、あるいは不完全な切断状態となる場合がある。
【００４７】
このとき、図３に示すように、バースト後用紙間隔波形として示すセンサー部１２の出力において、センサー部１２が先行する用紙の搬送方向後端縁を検知して後に後続する連続用紙２の搬送方向前端縁を検知するまでの間のインターバルＴｂで示す距離が、図２に示した通常時のインターバルＴａで示す距離よりも短くなって、この間にエンコーダ５から出力するパルス数が通常時よりも少なくなる。
【００４８】
ここで、図３において、インターバルＴｂは連続用紙２が完全にバースト（切断）してはいるがスリップが生じたために先行する用紙の搬送方向後端縁と後続する連続用紙２の搬送方向前端縁との距離が短くなった状態を示すものであり、インターバルＴｃは連続用紙２が幅方向の中央部において不完全にバースト（切断）し、連続用紙２が幅方向の両側においてつながった状態を示すものであり、インターバルＴｄはバーストミスでジャムが発生する寸前の状態を示すものである。インターバルＴｄによるジャム発生の予測はメインモータの電流値の波形が通常に比べて大きくなることを合わせて参照することにより行う。この場合には、連続用紙処理装置にメインモータの電流値を計測する電流計を設け、ＣＰＵ１５において制御指標とする。
【００４９】
したがって、ＣＰＵ１５のエンコーダパルス計数手段により計数するパルス数の計数値はバースト（切断）状態を示す指標となり、ＣＰＵ１５はパルス数の計数値を指標としてメインモータの駆動を制御することにより、ピントラクター４および前ゴムローラー部１０による連続用紙２の搬送速度を、切断処理ミスを生じないように適正な搬送速度（処理速度）にコントロールすることができる。
【００５０】
このため、ＣＰＵ１５は連続用紙処理装置の運転中において、エンコーダパルス計数手段によって計数するパルス数の計数値が一定の値を維持するように搬送速度を制御する。
または、ＣＰＵ１５は運転開始時に処理対象の連続用紙２に対して予め定めた標準的な所定速度の搬送速度で運転を行い、この所定速度において連続用紙処理装置を運転中にエンコーダパルス計数手段によって計数するパルス数の計数値が処理対象の連続用紙２に対して予め定めた標準的な所定値より減少するとき、または前記所定値より小さい所定下限値となるときに、搬送速度を前記所定速度よりも低下させて前記計数値が前記所定値となるように制御する。
【００５１】
あるいは、ＣＰＵ１５は運転開始後に搬送速度を漸次に上昇させならが運転を行い、連続用紙処理装置を運転中にエンコーダパルス計数手段によって計数するパルス数の計数値が処理対象の連続用紙２に対して予め定めた標準的な所定値より減少するとき、または前記所定値より小さい所定下限値となるときに、搬送速度を前記所定速度よりも低下させて前記計数値が前記所定値となるように制御する。
【図面の簡単な説明】
【００５２】
【図１】本発明の実施の形態における連続用紙処理装置を示すブロック図
【図２】同実施の形態における連続用紙処理装置のバースト正常状態を示すエンコーダとセンサー部とメインモータの電流計の出力信号波形図
【図３】同実施の形態における連続用紙処理装置のバーストミス前兆状態を示すエンコーダとセンサー部とメインモータの電流計の出力信号波形図
【図４】従来の連続用紙処理装置の構成を示す模式図
【符号の説明】
【００５３】
２    連続用紙
４    ピントラクター
５    エンコーダ
６    スリッタ
９    バースター
１０    前ゴムローラー部
１０ａ  上前ゴムローラー
１０ｂ  下前ゴムローラー
１１    バーストロール部
１１ａ  上ロール
１１ｂ  下ロール
１２    センサー部
１２ａ  発光センサー
１２ｂ  受光センサー
１３    後ゴムローラー部
１３ａ  上後ゴムローラー
１３ｂ  下後ゴムローラー
１４    排紙ローラー部
１５    ＣＰＵ
【図１】
0004703318.tif 000002
【図２】
0004703318.tif 000003
【図３】
0004703318.tif 000004
【図４】
0004703318.tif 000005